(57)【特許請求の範囲】
【請求項１】
複数の遊技機を横並びに配列してなる遊技機列の隣接する遊技機の間毎又は所定置き毎にそれぞれ紙幣の投入により少なくとも遊技媒体の貸出制御を行う台間機が配置され、これらの台間機に投入された紙幣を各台間機の背面側に設けた紙幣送り出し口から遊技島内の所定箇所に配置した紙幣回収保管部に搬送する紙幣搬送装置であって、
上記遊技機列の背面側で島列方向に延びかつ一端が上記紙幣回収保管部に接続された主搬送路に沿って紙幣を立てた状態で搬送する主搬送装置と、
上記主搬送路上で各台間機の紙幣送り出し口と近接する位置にそれぞれ配置され、主搬送路の一部を、主搬送装置により紙幣を搬送する位置と各台間機の紙幣送り出し口側から紙幣を取り込む位置とに選択的に変更する複数の搬送路変更装置とを備えたことを特徴とする紙幣搬送装置。
【請求項２】
上記主搬送装置は、その主搬送路を各台間機の紙幣送り出し口と近接する位置毎にそれぞれ１箇所で分離して複数の分割搬送路に分割し、これらの分割搬送路をそれぞれ紙幣を挟持する少なくとも一対のベルト装置により構成してなり、上記各ベルト装置は、それぞれ搬送方向両端のプーリに巻き掛けたエンドレスベルトが分割搬送路毎に独立して駆動されるようになっており、
上記各搬送路変更装置は、対応する分割搬送路を構成する少なくとも一対のベルト装置の一方の端のプーリを共に支持しかつこのプーリの支持部側が島列方向に向く位置と台間機の紙幣送り出し口側に向く位置とに回動可能な首振り台と、この首振り台が台間機の紙幣送り出し口側に向く位置に回動する時首振り台上を移動して上記ベルト装置のエンドレスベルトを折り曲げるための中間プーリとを有してなる請求項１記載の紙幣搬送装置。
【請求項３】
上記主搬送装置は、その主搬送路を各台間機の紙幣送り出し口と近接する位置毎にそれぞれ２箇所で分離して複数の分割搬送路に分割し、これらの分割搬送路をそれぞれ紙幣を挟持する少なくとも一対のベルト装置により構成してなり、上記各ベルト装置は、それぞれ搬送方向両端のプーリに巻き掛けたエンドレスベルトが分割搬送路毎に独立して駆動されるようになっており、
上記各搬送路変更装置は、台間機の紙幣送り出し口と近接する位置における主搬送路の２つの分離箇所に挟まれた間の分割搬送路を構成する少なくとも一対のベルト装置全体を支持しかつこのベルト装置が島列方向に向く位置と台間機の紙幣送り出し口側に向く位置とに回動可能な回転台を有してなる請求項１記載の紙幣搬送装置。
【発明の詳細な説明】
【０００１】
【発明の属する技術分野】
本発明は、パチンコホールなどの遊技場に設置される複数台の遊技媒体貸出用台間機などから紙幣を一括して回収するための紙幣搬送装置に関する。
【０００２】
【従来の技術】
一般に、パチンコホールなどの遊技場においては、複数台のパチンコ機又はスロットマシンを横並びに配列して１つの遊技機列を構成し、この遊技機列を２つ互いに背中合わせに配置して１つの遊技島を構成しており、各遊技機列の隣接する遊技機の間毎又は所定置き毎にそれぞれ遊技媒体貸出用の台間機を配置している。この台間機で紙幣を使用可能とする場合には、台間機の内部に紙幣識別機などを設けるとともに、遊技島内の遊技機列背面側に紙幣搬送装置を配置し、台間機の紙幣識別機で検査した紙幣をその背面側の紙幣送り出し口から紙幣搬送装置側へ送り出し、遊技島の端などに配置した紙幣回収保管部に搬送して回収するようにしている。
【０００３】
そして、上記紙幣搬送装置としては、例えば特公平５−５５４１４号公報に開示されるように、遊技機列の背面側で島列方向に延びかつ一端が紙幣回収保管部に接続された主搬送路に沿って紙幣を搬送する主搬送装置（上記例示の公報のものでいう挟持搬送装置）と、一端が上記主搬送路に、他端が各台間機の紙幣送り出し口にそれぞれ接続された各連結搬送路に沿って紙幣を搬送する複数の連結搬送装置（同じく案内機構）とからなるものが知られている。上記主搬送装置及び各連結搬送装置は、いずれもベルトとローラとで紙幣を垂直に立てた状態で挟持して搬送するように構成されている。
【０００４】
【発明が解決しようとする課題】
ところが、上記従来の紙幣搬送装置では、主搬送路に沿って搬送される紙幣と連結搬送路側から主搬送路側に移送される紙幣とが同時に主搬送路と連結搬送路との接続箇所（いわゆる交差部又は交差点）に到達すると互いに擦れ合うことなどによって紙幣詰まりが発生し易いという問題があった。
【０００５】
本発明はかかる点に鑑みてなされたものであり、その課題とするところは、上記主搬送路と台間機側の紙幣の搬送路との交差部に、主搬送路に沿って搬送される紙幣と台間機側から主搬送路側に移送される紙幣とが同時に到着しないようにすることにより、交差部での紙幣詰まりを防止し得る紙幣搬送装置を提供せんとするものである。
【０００６】
【課題を解決するための手段】
上記の課題を解決するため、請求項１に係る発明は、複数の遊技機を横並びに配列してなる遊技機列の隣接する遊技機の間毎又は所定置き毎にそれぞれ紙幣の投入により少なくとも遊技媒体の貸出制御を行う台間機が配置され、これらの台間機に投入された紙幣を各台間機の背面側に設けた紙幣送り出し口から遊技島内の所定箇所に配置した紙幣回収保管部に搬送する紙幣搬送装置として、上記遊技機列の背面側で島列方向に延びかつ一端が上記紙幣回収保管部に接続された主搬送路に沿って紙幣を垂直又は斜めに立てた状態で搬送する主搬送装置と、上記主搬送路上で各台間機の紙幣送り出し口と近接する位置にそれぞれ配置され、主搬送路の一部を、主搬送装置により紙幣を搬送する位置と各台間機の紙幣送り出し口側から紙幣を取り込む位置とに選択的に変更する複数の搬送路変更装置とを備える構成とする。
【０００７】
この構成では、主搬送路上で各台間機の紙幣送り出し口と近接する位置にそれぞれ搬送路変更装置が配置され、この各搬送路変更装置が主搬送路の一部を、例えば通常は主搬送装置により紙幣を搬送する位置に設定しておき、台間機に紙幣が投入されかつ主搬送路の上流側に搬送途中の紙幣がないときに台間機の紙幣送り出し口側から紙幣を取り込む位置に一時的に変更することなどにより、主搬送路に沿って搬送される紙幣と台間機側から主搬送路側に移送される紙幣とが同時に主搬送路と台間機側の紙幣の搬送路との交差部に到着することはなく、交差部での紙幣詰まりが未然に防止される。また、紙幣は従来の如く主搬送路の手前で屈曲されることなく真っ直ぐな状態のまま主搬送路に導入されるので、この点からも交差部での紙幣詰まりがより確実に防止される。
【０００８】
請求項２及び３に係る発明は、いずれも請求項１記載の紙幣搬送装置の具体的形態の一例を提供するものである。すなわち、請求項２に係る発明の場合、上記主搬送装置は、その主搬送路を各台間機の紙幣送り出し口と近接する位置毎にそれぞれ１箇所で分離して複数の分割搬送路に分割し、これらの分割搬送路をそれぞれ紙幣を挟持する少なくとも一対のベルト装置により構成してなり、上記各ベルト装置は、それぞれ搬送方向両端のプーリに巻き掛けたエンドレスベルトが分割搬送路毎に独立して駆動されるようになっている。また、上記各搬送路変更装置は、対応する分割搬送路を構成する少なくとも一対のベルト装置の一方の端のプーリを共に支持しかつこのプーリの支持部側が島列方向に向く位置と台間機の紙幣送り出し口側に向く位置とに回動可能な首振り台と、この首振り台が台間機の紙幣送り出し口側に向く位置に回動する時首振り台上を移動して上記ベルト装置のエンドレスベルトを折り曲げるための中間プーリとを有してなる構成とする。
【０００９】
請求項３に係る発明の場合、上記主搬送装置は、その主搬送路を各台間機の紙幣送り出し口と近接する位置毎にそれぞれ２箇所で分離して複数の分割搬送路に分割し、これらの分割搬送路をそれぞれ紙幣を挟持する少なくとも一対のベルト装置により構成してなり、上記各ベルト装置は、それぞれ搬送方向両端のプーリに巻き掛けたエンドレスベルトが分割搬送路毎に独立して駆動されるようになっている。また、上記各搬送路変更装置は、台間機の紙幣送り出し口と近接する位置における主搬送路の２つの分離箇所に挟まれた間の分割搬送路を構成する少なくとも一対のベルト装置全体を支持しかつこのベルト装置が島列方向に向く位置と台間機の紙幣送り出し口側に向く位置とに回動可能な回転台を有してなる構成とする。
【００１０】
【発明の実施の形態】
以下、本発明の実施の形態を図面に基づいて説明する。
図１及び図２は本発明の第１の実施形態に係る紙幣搬送装置を備えたスロットマシンの遊技島Ａの設備全体を示す。この遊技島Ａは、複数台（図では４台）のスロットマシン１，１，…を横並びに配列して１つのマシン列２を構成し、このマシン列２を２つ互いに背中合わせに配置して構成されており、各マシン列２の互いに隣接する２台のスロットマシン１，１の間及び左端のスロットマシン１の左側方にはそれぞれ台間機３が配置されている。
【００１１】
上記各マシン列２のスロットマシン１及び台間機３は、いずれも同一の据付け台６上に載置されており、遊技島Ａの島列方向両端にはそれぞれ妻板７が垂直に立てて設けられ、この一方の妻板７の側方には島ホスト８が設置されている。この島ホスト８は紙幣回収保管部としての金庫９を内蔵している。また、各マシン列２のスロットマシン１上方には下側より順に載置棚１１、ランプ板１２及び幕板１３が設けられており、ランプ板１２には遊技者が遊技場の従業員を呼び寄せるときなどに点灯させるランプ１４などが取り付けられている。
【００１２】
上記各台間機３は、その前面上部に上下方向に細長い紙幣投入口１６を有し、この紙幣投入口１６より所定の紙幣（例えば千円札）を、その短辺を垂直に立てて投入すると右隣りのスロットマシン１に対し所定枚数のメダルの払い出しなどを指令する一方、投入紙幣を背面側に設けた紙幣送り出し口（図示せず）から紙幣搬送装置２０側に送り出すようになっている。
【００１３】
上記紙幣搬送装置２０は、各台間機３の紙幣送り出し口から送り出された紙幣を全て回収して上記島ホスト８内の金庫９に搬送するもので、マシン列２の背面側でかつ台間機３の紙幣投入口１６と略同じ高さ位置で島列方向に水平に延びる主搬送路２１に沿って紙幣を搬送する主搬送装置２２を備えている。上記主搬送路２１は、その一端が妻板７を貫通して金庫９に接続されているとともに、マシン列２の島ホスト８と最も離れた台間機３を除く各台間機３の紙幣送り出し口と近接する位置毎にそれぞれ１箇所で分離して２つに分割され、図２の場合５つの分割搬送路２３，２３，…に分割されている。
【００１４】
上記各分割搬送路２３は、それぞれ図３ないし図６に詳示するように、その左右側壁が上下一対ずつ計二対４つのベルト装置２４，２４，…により構成され、この４つのベルト装置２４，２４，…により紙幣ｗを垂直に立てた状態で上下２箇所で共に挟持して搬送するようになっている。上記各ベルト装置２４は、それぞれ搬送方向両端の２つのプーリ２５，２６と、この２つのプーリ２５，２６間に巻き掛けられたエンドレスベルト２７とを有している。
【００１５】
また、上記各分割搬送路２３は、島ホスト８に最も近いものを除き、１台のスロットマシン１の幅寸法と１台の台間機３の幅寸法との加算値に略相当する長さを有しており、この分割搬送路２３の左右側壁を構成する上下一対ずつ計二対４つのベルト装置２４，２４，…の島ホスト８側の各プーリ２５は、いずれの分割搬送路２３でも図４及び図５に示す如く分割搬送路２３の底板３１と天板３２との間に垂直に設けた左右一対のプーリ軸３３，３３に対し左右それぞれで上下２段に回転自在に装着されている。一方、島ホスト８と反対側の各プーリ２６は、島ホスト８から最も離れた分割搬送路２３のものを除き、図４に示す如く首振り台３６と天板３７との間に垂直に設けた左右一対のプーリ軸３８（一方のみ図示）に対し左右それぞれで上下２段に回転自在に装着されている。
【００１６】
上記首振り台３６は、主搬送路２１上で各台間機３の紙幣送り出し口に近接した位置に設置されたモータ４１の回転軸４１ａに連結支持され、この回転軸４１ａを中心としてプーリ軸３８の支持部側が島列方向に向く位置と島列方向と略直角な各台間機３の紙幣送り出し口側に向く位置とに回動可能に設けられている。この首振り台３６の基部側つまり分割搬送路２３の底板３１との連結部側には２つのプーリ固定軸４２，４２と２つのプーリ移動軸４３，４３とが設けられ、これらのプーリ固定軸４２，４２及びプーリ移動軸４３，４３にはそれぞれ上下２つの中間プーリ４５，４５又は４６，４６が回転自在に装着されている。各プーリ固定軸４２の中間プーリ４５は、それぞれベルト装置２４のエンドレスベルト２７の外側より当接しており、各プーリ固定軸４２は、首振り台３６と天板３７との間に垂直に立って固定されている。また、各プーリ移動軸４３の中間プーリ４６は、それぞれベルト装置２４のエンドレスベルト２７の内側より当接しており、各プーリ移動軸４３の下端部にはモータ内蔵の自走台車４７が設けられ、この自走台車４７は、首振り台３６に形成したビット４８内に埋没した状態でその底面に敷設したレール４９上を移動するようになっている。このような首振り台３６とその上の中間プーリ４５，４６の支持構造とこれらの動作を制御する後述の制御部６０とにより、各分割搬送路２３の左右側壁を構成する上下一対ずつ計二対４つのベルト装置２４，２４，…の島ホスト８と反対側のプーリ２６部分を、島列方向に延ばして主搬送装置２２により紙幣ｗを搬送する位置と島列方向と略直角に折れ曲がって各台間機３の紙幣送り出し口側から紙幣ｗを取り込む位置とに選択的に変更する搬送路変更装置５０が構成されており、この搬送路変更装置５０は、マシン列２の島ホスト８と最も離れた台間機３を除く各台間機３の紙幣送り出し口と近接する位置毎に１つずつ設けられている。
【００１７】
さらに、上記主搬送路２１の島ホスト８から最も離れた分割搬送路２３を除く各分割搬送路２３の中間部には、それぞれ図３に示すように、上記各搬送路変更装置５０により４つのベルト装置２４，２４，…の島ホスト８と反対側のプーリ２６部分の位置を変更する時のベルト長を調整するためのベルト長調整部５１が設けられている。このベルト長調整部５１は、各ベルト装置２４のエンドレスベルト２７をそれぞれ巻き掛ける複数の中間プーリ５２，５２，…と、各ベルト装置２４の１つの中間プーリ５２を水平移動させるアクチュエータ（図示せず）とを備え、中間プーリ５２の水平移動により各ベルト装置２４のエンドレスベルト２７の緩みを吸収してベルト装置２４の搬送方向の長さつまりベルト長を調整するようになっている。上記複数の中間プーリ５２，５２，…のうち、アクチュエータにより水平移動させられる中間プーリを除きかつ各ベルト装置２４毎に少なくとも１つの中間プーリは、図示していないがモータに動力伝達可能に接続されていて、この中間プーリを介して各ベルト装置２４のエンドレスベルト２７が分割搬送路２３毎に独立して駆動されるようになっている。
【００１８】
尚、主搬送路２１の島ホスト８から最も離れた分割搬送路２３の各ベルト装置２４は、図２に示す如く島ホスト８と反対側のプーリ２６部分が中間プーリ５５により島列方向と略直角に折れ曲がって台間機３の紙幣送り出し口側に向く状態に設けられているとともに、プーリ２５，２６及び中間プーリ５５のうちの少なくとも１つがモータ（図示せず）に動力伝達可能に接続されている。
【００１９】
図７は上記搬送路変更装置５０の制御系の構成を示し、６０は搬送路変更装置５０の制御部であって、この制御部６０はＣＰＵ、ＲＯＭ及びＲＡＭなどからなり、搬送路変更装置５０の作動部であるモータ４１及び自走台車４７を制御するものである。６１は搬送路変更装置５０の上流側に隣接した分割搬送路２３上を紙幣ｗが搬送されていることを検出する主搬送路センサであり、この主搬送路センサ６１の検出信号は上記制御部６０に入力される。この制御部６０は、搬送路変更装置５０と対応する１台又は２台の台間機３と信号授受可能に接続されているとともに、搬送路変更装置５０の作動時（つまりベルト装置２４の島ホスト８と反対側のプーリ２６部分の位置を変更する時）にその作動と同期してベルト長を調整するためにベルト長調整部５１に対し動作信号を出力するようになっている。
【００２０】
次に、上記第１の実施形態における紙幣搬送装置２０の作動、特に搬送路変更装置５０の首振り台３６上の分割搬送路２３における紙幣ｗの搬送（交差点の搬送）について、図８を参照しながら説明する。
【００２１】
通常、搬送路変更装置５０の首振り台３６上の分割搬送路２３（詳しくは分割搬送路２３を構成する各ベルト装置２４の島ホスト８と反対側のプーリ２６部分）である交差点搬送路は、島列方向に向いた本線位置で待機している（ステップＳ１）。そして、この搬送路変更装置５０に隣接した上流側の分割搬送路２３より紙幣ｗが搬送されて来たときには、首振り台３６上の交差点搬送路の左右側壁を構成する上下一対ずつ計二対４つのベルト装置２４，２４，…により紙幣ｗを上下２箇所で挟持して島ホスト８側に搬送する。
【００２２】
上記搬送路変更装置５０と対応した台間機３に紙幣ｗが投入されたとき（ステップＳ２）には、その台間機３から紙幣投入の情報を受ける搬送路変更装置５０の制御部６０は、先ず主搬送路センサ６１の信号を基に搬送路変更装置５０に隣接した上流側の分割搬送路２３に紙幣ｗが搬送されて来ているか否かを判断する（ステップＳ３）。そして、紙幣ｗが搬送されて来ているときには、上記制御部６０は台間機３に信号を出力して、紙幣ｗが搬送路変更装置５０の首振り台３６上を通過するまで台間機３内で投入紙幣を待機させる（ステップＳ６）。
【００２３】
一方、紙幣ｗが搬送されて来ていないときには、制御部６０の制御の下に搬送路変更装置５０のモータ４１が作動して首振り台３６が略９０度回動し、この首振り台３６上の交差点搬送路が台間機３の紙幣送り出し口側に向くとともに、首振り台３６上の２つの自走台車４７，４７がそれぞれビット４８内のレール４９上を走行し、この両自走台車４７，４７に各々支持されたプーリ移動軸４３，４３上の４つの中間プーリ４６，４６，…がそれぞれ対応する４つのベルト装置２４，２４，…の各エンドレスベルト２７を搬送方向上流側に押し出すことにより、図３に実線で示す如く首振り台３６上の交差点搬送路が島列方向と略直角に折れ曲がって台間機３の紙幣送り出し口側に向く状態に変更される。この状態で台間機３の紙幣送り出し口から紙幣ｗが首振り台３６上の交差点搬送路に受け取られ、島ホスト８側へ搬送される（ステップＳ４）。
【００２４】
しかる後、上記首振り台３６が逆方向に略９０度回動するとともに、首振り台３６上の各自走台車４７が元の位置にまで戻ることにより、首振り台３６上の交差点搬送路が通常の本線位置に戻る（ステップＳ５）。
【００２５】
このように、主搬送路変更装置５０によりその首振り台３６上の交差点搬送路つまり主搬送路２１の一部が本線位置に向く位置と台間機３の紙幣送り出し口側に向く位置とに選択的に変更されることにより、従来の紙幣搬送装置の如く主搬送路２１に沿って搬送される紙幣ｗと台間機３側から主搬送路２１側に移送される紙幣ｗとが同時に交差部に到着することがないので、これに起因する交差部での紙幣詰まりを未然に防止することができる。また、紙幣ｗは従来の如く主搬送路２１の手前で屈曲されることなく真っ直ぐな状態のまま主搬送路２１に導入されるので、この点からも交差部での紙幣詰まりをより確実に防止することができる。
【００２６】
図９及び図１０は本発明の第２の実施形態に係る紙幣搬送装置７０を示す。この紙幣搬送装置７０は、マシン列２の背面側で島列方向に延びかつ一端が島ホスト８内の金庫９（図２参照）に接続された主搬送路７１に沿って紙幣ｗを搬送する主搬送路７２と、各台間機３の紙幣送り出し口にそれぞれ対応して配置された複数の連結搬送装置７３，７３，…と、上記主搬送路７１上でかつ各台間機３の紙幣送り出し口と近接する位置（換言すると主搬送路７１と各連結搬送装置７３の搬送路である連結搬送路７４の延長線とが交差する箇所）にそれぞれ配置された複数の搬送路変更装置７５，…とを備えている。
【００２７】
上記主搬送路７１は、各台間機３の紙幣送り出し口と近接する位置毎にそれぞれ２箇所で分離して３つに分割され、スロットマシン１の背面側に位置する長さの長い分割搬送路７６と、台間機３の背面側に位置する長さの短い分割搬送路７７とを交互に配列してなる。これらの分割搬送路７６，７７は、いずれも左右側壁が複数対（詳しくは後述する如く二対又は三対）のベルト装置７８又は７９により構成され、これらのベルト装置７８又は７９により紙幣ｗを垂直に立てた状態で挟持して搬送するようになっている。上記各ベルト装置７８，７９は、それぞれ搬送方向両端の２つのプーリ８０，８０又は８１，８１と、この２つのプーリ８０，８０又は８１，８１間に巻き掛けられたエンドレスベルト８２又は８３とを有している。
【００２８】
上記各連結搬送装置７３は、その連結搬送路７４の左右側壁を構成する上下一対ずつ計二対４つのベルト装置８６，８６，…を備え、これらのベルト装置８６，８６，…により紙幣ｗを垂直に立てた状態で上下２箇所で共に挟持して搬送するようになっている。各ベルト装置８６は、搬送方向両端の２つのプーリ８７，８７と、この２つのプーリ８７，８７間に巻き掛けられたエンドレスベルト８８とを有しており、連結搬送路７４の搬送方向上流側（台間機３側）及び下流側（主搬送路７１側）のいずれにおいても４つのベルト装置８６，８６，…の各プーリ８７は、連結搬送路７４の底板９１と天板９２との間に垂直に設けた左右一対のプーリ軸９３（図１０では一方のみ示す）に対し左右それぞれで上下２段に回転自在に装着されている。連結搬送路７４の搬送方向上流側では各プーリ軸９３にモータ９６が動力伝達可能に接続され、このモータ９６により４つのベルト装置８６，８６，…が同期して駆動される。
【００２９】
上記主搬送路７１の分割搬送路のうち、スロットマシン１の背面側の分割搬送路７６でその左右側壁を構成するベルト装置７８は、図示していないが、上記連結搬送路７４のベルト装置８６の場合と同様に、上下一対ずつ計二対４つ設けられており、これらのベルト装置７８，…は、分割搬送路７６毎にそれぞれ搬送方向両端の２つのプーリ８０，８０間に巻き掛けたエンドレスベルト８２がモータ（図示せず）により独立して駆動されるようになっている。
【００３０】
一方、台間機３の背面側の分割搬送路７７でその左右側壁を構成するベルト装置７９は、上下３段に各々一対ずつ計三対６つ設けられており、これらのベルト装置７９，７９，…はいずれも搬送路変更装置７５の回転台１０１上に配設されている。すなわち、ベルト装置７９の搬送方向両端のいずれにおいても６つのベルト装置７９，７９，…の各プーリ８１は、搬送路変更装置７５の回転台１０１と天板１０２との間に垂直に設けた左右一対のプーリ軸１０３（図１０では一方のみ示す）に対し左右それぞれで上下３段に回転自在に装着されており、搬送方向の一端側では各プーリ軸１０３にモータ１０６が動力伝達可能に接続され、このモータ１０６により６つのベルト装置７９，７９，…が同期して駆動される。また、回転台１０１上の各ベルト装置７９のプーリ８１は、側方から見て連結搬送装置７３の各ベルト装置８６のプーリ８７と互い違いに位置して相互に接近し合い、紙幣ｗの受け渡しを容易に行い得るようになっており、この関係は分割搬送路７６の各ベルト装置７８のプーリ８０との間でも同様になっている。
【００３１】
上記回転台１０１は、その中央部でモータ１０７の回転軸１０７ａに連結支持され、このモータ１０７により回転台１０１上の各ベルト装置７９が島列方向に向く位置と台間機３の紙幣送り出し口側ないし連結搬送路７４側に向く位置とに回動可能に設けられている。各搬送路変更装置７５は、図示していないが、上記モータ１０７ひいては回転台１０１の作動などを制御する制御部を有しており、この制御部による回転台１０１の回動制御は、第１の実施形態における首振り台３６の回動制御の場合と同様、図８に示す交差点の搬送のフローチャートに従って行われる。
【００３２】
そして、上記第２の実施形態においても、搬送路変更装置７５によりその回転台１０１上の分割搬送路７７である交差点搬送路（換言すればその左右側壁を構成する三対６つのベルト装置７９，７９，…）が島列方向に向く本線位置と台間機３の紙幣送り出し口側に向く位置とに選択的に回動変更されることにより、主搬送路７１に沿って搬送される紙幣ｗと台間機３側から主搬送路７１側に移送される紙幣ｗとが同時に交差部に到着することがないので、これに起因する交差部での紙幣詰まりを未然に防止することができる。
【００３３】
尚、本発明は上記第１及び第２の実施形態に限定されるものではなく、その他種々の形態を包含するものである。例えば上記各実施形態では、いずれも主搬送装置２２，７２において、その主搬送路２１，７１の左右側壁を上下２段に一対ずつ計二対４つ、又は上下３段に一対ずつ計三対６つのベルト装置２４，７８，７９を有し、これらのベルト装置により紙幣ｗを挟持して搬送するように構成したが、本発明の主搬送装置としては、一対のベルト装置により紙幣を挟持して搬送したり、１つのベルト装置とローラとの組み合わせで紙幣を挟持して搬送したりしてもよい。
【００３４】
また、上記第２の実施形態では、主搬送路７１上でかつ各台間機３の紙幣送り出し口と近接する位置にそれぞれ搬送路変更装置７５を配置するだけでなく、各台間機３の紙幣送り出し口にそれぞれ対応して連結搬送装置７３を配置し、この連結搬送装置７３を介して台間機３の紙幣送り出し口から送り出される紙幣ｗを搬送路変更装置７５の回転台１０１上のベルト装置７９側に受け取るようにしたが、本発明は、上記連結搬送装置７３を省略し、回転台１０１上のベルト装置７９の長さを長く設定して、台間機３の紙幣送り出し口から送り出される紙幣を直接この回転台１０１上のベルト装置７９側に受け取るように構成してもよいのは勿論である。
【００３５】
さらに、図８に示す交差点搬送のフローチャートでは、台間機３に紙幣ｗが投入された時に本線上流側に紙幣ｗがある場合、本線上流側の紙幣ｗが通り過ぎるまで台間機３内で紙幣ｗを待機させているが、本発明は、本線上流側の稼動を一時停止し、紙幣ｗを台間機３側から交差点搬送路に受け取るようにしてもよい。また、本線上流側の紙幣ｗが交差点搬送路の位置に到達するまでに時間があれば先に台間機３側から紙幣ｗを交差点搬送路に受け取るようにしてもよい。
【００３６】
【発明の効果】
以上のように、本発明の紙幣搬送装置によれば、主搬送路と台間機側の紙幣の搬送路との交差部に搬送路変更装置を配置し、この搬送路変更装置によって主搬送路の一部を主搬送装置により紙幣を搬送する位置と台間機の紙幣送り出し口側から紙幣を取り込む位置とに選択的に変更することにより、主搬送路に沿って搬送される紙幣と台間機側から主搬送路側に移送される紙幣とが同時に交差部に到着することがないので、これに起因する交差部での紙幣詰まりを防止することができる。また、紙幣を屈曲させずに真っ直ぐな状態のまま主搬送路に導入するので、この点からも交差部での紙幣詰まりをより確実に防止することができる。
【図面の簡単な説明】
【図１】本発明の第１の実施形態に係る紙幣搬送装置を備えたスロットマシンの遊技島の側面図である。
【図２】同平面図である。
【図３】上記紙幣搬送装置の搬送路構造を示す概略平面図である。
【図４】同側面図である。
【図５】図４のＸ−Ｘ線における拡大断面図である。
【図６】図４のＹ−Ｙ線における拡大断面図である。
【図７】搬送路変更装置の制御系のブロック構成図である。
【図８】交差点の搬送のフローチャート図である。
【図９】第２の実施形態に係る紙幣搬送装置の全体構成を示す概略平面図である。
【図１０】上記紙幣搬送装置の主要部の側面図である。
【符号の説明】
Ａ    遊技島
ｗ    紙幣
１    スロットマシン（遊技機）
２    マシン列（遊技機列）
３    台間機
９    金庫（紙幣回収保管部）
２０，７０    紙幣搬送装置
２１，７１    主搬送路
２２，７２    主搬送装置
２３，７６，７７    分割搬送路
２４，７８，７９    ベルト装置
２５，２６，８０，８１    プーリ
２７，８２，８３    エンドレスベルト
３６    首振り台
４６    中間プーリ
５０，７５    搬送路変更装置
１０１    回転台
【図１】
0004363732.tif 000002
【図２】
0004363732.tif 000003
【図３】
0004363732.tif 000004
【図４】
0004363732.tif 000005
【図５】
0004363732.tif 000006
【図６】
0004363732.tif 000007
【図７】
0004363732.tif 000008
【図８】
0004363732.tif 000009
【図９】
0004363732.tif 000010
【図１０】
0004363732.tif 000011